(57)【特許請求の範囲】
【請求項１】
基台の前後両端位置に支持具を回動自在に取り付け、前記支持具間に設けたレールにスライダーを摺動自在に装着し、前記スライダーに回転刃及び弾発部材を内在させ、前記スライダーを押圧すると前記弾発部材の弾発力に抗して前記回転刃が外部に突出するペーパーカッターにおいて、前記レールを軸として前記スライダーを横転することができることを特徴とするペーパーカッター。
【請求項２】
前記スライダーの横転時に前記スライダーを押圧不可能にする係止部を設けたことを特徴とする請求項１に記載したペーパーカッター。
【発明の詳細な説明】
【０００１】
【発明の属する技術分野】
本発明は、回転刃を有するスライダーを下方に押圧しながらレールに沿って摺動させることにより紙を切断するペーパーカッターに関するものである。
【０００２】
【従来の技術】
回転刃を有するスライダーを下方に押圧しながらレールに沿って摺動させることにより、回転刃が基台に載せられた紙を押し付けた状態で回転し、これにより紙を切断することができるペーパーカッターは知られており、例えば、米国特許５，３２２，００１号、特開平１０−３４５９２号などに開示されている。
この種のペーパーカッターは、基台の前後両端に回動自在に取り付けられた支持具にてレールを保持し、そのレールに回転刃を有するスライダーを摺動自在かつ上下動自在に装着してあるもので、そのスライダーは弾発部材により常時は上方に弾発支持されており、回転刃の刃先は常時はレールの下端よりも上方に位置しているものである。
【０００３】
【発明が解決しようとする課題】
しかし、この種のペーパーカッターはスライダーが常に直立状態となっているため、商品箱に収納する時や不使用時にスライダー部分が邪魔となってかさばる欠点があった。
そこで、スライダーを横転させることによってコンパクトに収納可能な前記欠点を解消したペーパーカッターを提供することを目的とするものである。
また、スライダーは上下動自在にレールに装着してあるため、横転させた状態で不用意に押圧すると回転刃が露出して危険である。よって、スライダーを横転させた状態では回転刃が出没しないペーパーカッターを提供することも目的としている。
【０００４】
【課題を解決するための手段】
基台の前後両端位置に支持具を回動自在に取り付け、前記支持具間に設けたレールにスライダーを摺動自在に装着し、前記スライダーに回転刃及び弾発部材を内在させ、前記スライダーを押圧すると前記弾発部材の弾発力に抗して前記回転刃が外部に突出するペーパーカッターにおいて、前記レールを軸として前記スライダーを横転することができることを特徴とするペーパーカッターである。また、スライダーの横転時に前記スライダーを押圧不可能にする係止部を設けたことを特徴とするペーパーカッターである。
【０００５】
【発明の実施の形態】
用紙の所定部分を切断するときは、まず支持具を上方に回動させてレールを上方に位置させる。そうすると紙抑止体が基台から離れるので、基台に紙を載せることができる。次に、支持具を下方に回動させてレールを下方に位置させる。そうすると基台に載せられた紙は紙抑止体により固定することができる。
次に、レールの前端部分で横転しているスライダー６を直立させる。
次に、スライダーを押圧する。そうすると回転刃が突出する。
次に、スライダーを押圧したままの状態で、レールの後端部分まで摺動させる。そうすると回転刃が回転しながら基台上の用紙を切断することとなる。
【０００６】
用紙の切断が終了したら、スライダーをレールの前端部分に戻し、スライダーを横転させる。スライダーを横転した状態で押圧しても係止部が設けてあるのでスライダーは上下動することができない。更に、スライド部材は上下動不可能に設置してあり、これに装着してある回転刃カバーも上下動することがないので、スライダーが上下動することができない横転した状態では、回転刃が外部に突出することがない。よって、用紙を基台に載せるためにレールを上方もしくは下方に位置させる際やペーパーカッターの不使用時に回転刃の刃先により手や指を傷つける恐れがない。
このように、本発明のペーパーカッターはスライダーを横転させることによってコンパクトに収納することができるのである。
【０００７】
【実施例】
以下、本発明を図を用いて詳細に説明する。図１〜図７は本発明の一実施例を示すものである。
１は切断する用紙を載せる基台で前後両端位置には一対の支持片２が立設してあり、後述するスライダー６の回転刃１０と対向する位置にはカッターマット３が設けてある。このカッターマット３は両面テープにて接着固定してあるものであり、このカッターマット３が古くなった場合には両面テープを剥すことにより新たなものと交換することができる。
【０００８】
４は支持片２に枢着することにより回動自在に取り付けられた一対の支持具であり、この支持具４の間には前端部分を丸棒状に形成し後端部分を角棒状に形成したレール５が保持されている。このレール５は前端部分と後端部分を支持具４の各側面に嵌合固定することにより保持されている。また、レール５上面には溝１５が形成してある。尚、レール５を支持具４に保持させる方法は嵌合固定によるもののほか、ネジにより固定して保持させるものであっても良い。
また、前記支持具４の間には用紙を固定するための紙抑止体１４も嵌合固定されている。更に、紙抑止体１４にはスライダー収納部１６が形成されている。
【０００９】
６はレール５に摺動自在に装着されたスライダーである。スライダー６は、スライダー本体７と、回転刃１０と、回転刃カバー１２と、キャップ１３とを備えてなるものである。前記スライダー本体７は、レール上を移動可能なスライド部材８とスライダーの上下動機能をつかさどる弾発部材９を内在し、側面には係止部１７を設けてある。また、前記回転刃１０の中心部には回転軸としても機能する摘み１１が設置してあり、摘み１１はスライダー本体７に装着される。また、前記回転刃カバー１２はスライダー本体７から突出しているスライド部材８に掛止される。
なお、本実施例における弾発部材９は金属製のコイルスプリングを用いているが、この弾発部材９は樹脂製の板バネであっても良いし、弾発部材９とスライド部材８を一体成形したリーフスプリングとしても良い。
また、１３はキャップであって、左右に回動させることにより着脱をすることができるツイスト式のものとしてあり、スライダー本体７と着脱可能としてある。しかしながら、このキャップ１３の着脱の構成についてはツイスト式以外に、圧入嵌合、凹凸嵌合、ネジ式など様々な公知の形態であっても良い。
【００１０】
スライダー６は、レール５に摺動自在に装着されているものである。まず、２部品からなるスライダー本体７で左右からレール５を挟むようにして嵌合しレール5に装着する。このときスライダー本体７内部には弾発部材９を装備したスライド部材８をレール５上に載せるようにして内在させておく。次に、摘み１１を回転刃１０の中心部に装着し、回転刃カバー１２で左右から挟むようにした後、回転刃カバー１２はスライダー本体７から突出したスライド部材８に掛止し、摘み１１をスライダー本体７に装着する。次に、キャップ１３を左右に回動させスライダー本体７に係止する。
こうして組み上げたスライダー６は、弾発部材９により常時上方に弾発支持されることとなる。スライダー６を下方に押圧すると、スライダー本体７に直接装着されている摘み１１、回転刃１０、キャップ１３といった部材は下降することができ、押圧を解くとスライダー６は上昇して元の位置に戻る。一方、スライド部材８は上下動不可能に設置してあるので、スライド部材８に直接装着されている回転刃カバー１２も下降することができない。このようにして、スライダー６が弾発部材９により上方に弾発支持されている時は、回転刃１０の刃先は回転刃カバー１２よりも上方に位置しており、スライダー６を下方に押圧した時に回転刃１０の刃先が回転刃カバー１２より外部に突出するものである。
【００１１】
ここで、レール５は前端部分を丸棒状に後端部分を角棒状に形成してあり、レール５上面には溝１５が形成してある。また、スライダー本体７側面には係止部１７が形成してある。したがって、前記スライダー６が丸棒状の前端部分に位置しているときは、スライダー６は回動可能であって、横転することができる。スライダー６を横転した状態で押圧しても、係止部１７がレール５側面に当たるので昇降することができない。
一方、前記スライダー６が角棒状の後端部分に位置するときは、スライダー６は回動不可能である。スライダー６を直立した状態で押圧すると、係止部１７はレール５の溝１５に収容され、昇降することが可能となる。
なお、レール５は前端部分から後端部分まで全て丸棒状のもので代用可能である。但し、スライダー６が前端部分以外で位置する際、回動しないように回動防止構造を施す必要がある。
【００１２】
次に、本実施例のペーパーカッターの使用方法を説明する。
まず、支持具４を上方に回動させてレール５を上方に位置させる。そうすると紙抑止体１４が基台１から離れ、この状態にて基台１に用紙を載せることができる。次に、支持具４を下方に回動させてレール５を下方に位置させる。そうすると基台１に載せられた用紙は紙抑止体により固定される。
次に、丸棒状の前端部分で横転しているスライダー６を直立させる。そして、スライダー６を押圧する。このとき回転刃カバー１２はスライド部材８に装着してあるので上下動することなく、一方、回転刃１０は摘み１１を通してスタイダー本体７に装着してあってスライダー６と共に上下動するため、回転刃カバー１２から回転刃１０が突出する。次にスライダー６を押圧したままの状態で、角棒状の後端部分まで摺動させる。そうすると回転刃１０が回転しながら基台１上の用紙を切断する。
なお、この切断時において、基台１にはカッターマット３が設けてあるので、用紙の切断面は切れ味鋭いものとなり、また、回転刃１０の刃先を傷めることもない。
【００１３】
用紙の切断が終了したら、押圧を解除してスライダー６を前端部分に戻し、横転させる。スライダー６を横転した状態で押圧すると、係止部１７がレール５側面に当たるので昇降することができない。このときスライド部材８は弾発部材９でレール５に向って押圧されているので上下動することなく、また、スライド部材８に装着してある回転刃カバー１２も上下動することがないので、回転刃１０は外部に突出することがない。従って、レール５を上方もしくは下方に位置させる際や用紙を基台１に載せる際において、回転刃１０の刃先により手や指を傷つける恐れがない。
【００１４】
回転刃１０を交換する場合は、キャップ１３を取り外した後、摘み１１を掴み回転刃カバー１２と一緒にスライダー本体７から引き抜く。次に、図７のように摘み１１の両端を指で挟んで上方に引き上げ、回転刃カバー１２から離脱させる。こうすることで、不用意に回転刃１０に触れることを防止することができ、怪我をする恐れはない。
回転刃１０を装着する際は、前工程を逆にたどれば良く、回転刃１０の摘み１１を指で挟んで回転刃カバー１２に装着した後、摘み１１を掴んでスライダー本体７に装着し、キャップ１３を装着する。
なお、回転刃カバー１２は図８のように一体化したものも用いることが可能である。
【００１５】
図９〜図１０は、本発明の他の実施例を示すものである。
支持具４’の間には角棒状に形成したレール５’が保持されている。このレール５’は支持具の側面に９０度回転可能に固定されている。また、レール上面には溝を形成していない。
また、紙抑止体に設けたスライダー収納部内には係止部１７’を設け、スライダー本体の背面に係止部１７’が挿入できる孔を設けてある。
その他の部位は、前記実施例と同じ構成を有する。
【００１６】
次に、当該実施例の使用方法を説明する。
まず、支持具４’を上方に回動させてレール５’を上方に位置させる。そうすると紙抑止体が基台から離れ、この状態にて基台に用紙を載せることができる。次に、支持具４’を下方に回動させてレール５’を下方に位置させる。そうすると基台に載せられた用紙は紙抑止体により固定される。
次に、レール５’の前端部分で横転しているスライダーを直立させる。レール５’の両端は９０度回転可能に支持具に取り付けてあるので、レール５’と共にスライダーが直立する。次に、スライダーを押圧して回転刃を突出させ、レールの後端部分まで摺動させ、基台上の用紙を切断する。
用紙の切断が終了したら、押圧を解除してスライダーを前端部分に戻し、横転させる。レール５’の両端は９０度回転可能に支持具に取り付けてあるので、レール５’が９０度回転すると共にスライダーも９０度回転して横転する。
スライダーを横転すると、スライダー収納部内に設けた係止部１７’がスライダー本体の背面に設けた孔に挿入され、スライダーの昇降を不可能とする。このときスライド部材は弾発部材でレールに向って押圧されているので上下動することなく、また、スライド部材に装着してある回転刃カバーも上下動することがないので、回転刃は外部に突出することがない。従って、レール５’を上方もしくは下方に位置させる際や用紙を基台に載せる際において、回転刃の刃先により手や指を傷つける恐れがない。
【００１７】
【発明の効果】
以上の通り、本発明のペーパーカッターはレールを軸としてスライダーを横転することができるので、コンパクトに収納することが可能である。
また、スライダーの横転時にスライダーの押圧不可能にする係止部を設けたので、用紙を基台に載せる時や回転刃を交換する時や収納時において、回転刃の刃先により手や指を傷つける恐れがないものである。
【図面の簡単な説明】
【図１】本発明の実施例の斜視図
【図２】スライダーの分解図
【図３】スライダーが横転した状態の断面図
【図４】スライダーが直立した状態の断面図
【図５】前端部分でスライダーを押圧した状態の断面図
【図６】後端部分でスライダーを押圧した状態の断面図
【図７】回転刃カバーから回転刃を離脱した状態図
【図８】回転刃カバーの他の実施例
【図９】本発明の他の実施例
【図１０】本発明の他の実施例のスライダーが横転した状態の断面図
【符号の説明】
１  基台
２  支持片
３  カッターマット
４  支持具
５  レール
６  スライダー
７  スライダー本体
８  スライド部材
９  弾発部材
１０  回転刃
１１  摘み
１２  回転刃カバー
１３  キャップ
１４  紙抑止体
１５  溝
１６  スライダー収納部
１７  係止部
１８  用紙
１９  回動防止片
【図１】
0003872979.tif 000002
【図２】
0003872979.tif 000003
【図３】
0003872979.tif 000004
【図４】
0003872979.tif 000005
【図５】
0003872979.tif 000006
【図６】
0003872979.tif 000007
【図７】
0003872979.tif 000008
【図８】
0003872979.tif 000009
【図９】
0003872979.tif 000010
【図１０】
0003872979.tif 000011